(57)【要約】【課題】覚えやすく、使いやすく、さらにはタイプ数を低減させてタイプ速度を高速化することができる仮名入力装置を提供する。【解決手段】キー配列は、右側領域１０Ｒ、中央領域１０Ｃ及び左側領域１０Ｌを有し、各領域は手前から遠方に向かって複数の段で構成されており、右側領域手前から「あ」行から「た」行の仮名が割り当てられ、左側領域手前から「な」行から「ら」行の仮名が割り当てられた基本面、また、ファンクションキーの使用と共に拗音が割り当てられる面、基本的に割り当てられた仮名○に対して「○ん」、「○い」、「○う」、「○き」、「○く」、「○つ」の仮名が割り当てられた面の多層構造とする。【選択図】図２
2008310808.tif 000002
【特許請求の範囲】
【請求項１】
電子機器に使用され、複数のキーからなり、該キーを選択することにより、該キーに割り当てられた文字に対応する信号を出力可能となり、該信号に対応する文字が電子機器に表示可能となった入力装置において、
そのキー配列は、右側領域、中央領域及び左側領域を有し、各領域は手前から遠方に向かって複数の段で構成されており、
右側領域の手前一段目のキーに、中央側から右側に向かって「あ，い，う，え，お」の仮名がそれぞれ割り当てられ、
右側領域の手前二段目のキーに、中央側から右側に向かって「か，き，く，け，こ」の仮名がそれぞれ割り当てられ、
右側領域の手前三段目のキーに、中央側から右側に向かって「さ，し，す，せ，そ」の仮名がそれぞれ割り当てられ、
右側領域の手前四段目のキーに、中央側から右側に向かって「た，ち，つ，て，と」の仮名がそれぞれ割り当てられ、
左側領域の手前一段目のキーに、中央側から左側に向かって「な，に，ぬ，ね，の」の仮名がそれぞれ割り当てられ、
左側領域の手前二段目のキーに、中央側から左側に向かって「は，ひ，ふ，へ，ほ」の仮名がそれぞれ割り当てられ、
左側領域の手前三段目のキーに、中央側から左側に向かって「ま，み，む，め，も」の仮名がそれぞれ割り当てられ、
左側領域の手前四段目のキーに、中央側から左側に向かって「ら，り，る，れ，ろ」の仮名がそれぞれ割り当てられ、
中央領域のキーに、「や，ゆ，よ，わ，を，ん」の仮名がそれぞれ割り当てられる、ことを特徴とする仮名入力装置。
【請求項２】
前記左側領域と前記中央領域の境界線は、手前から遠方に向かうに従って左側へと傾斜し、前記右側領域と前記中央領域の境界線は、手前から遠方に向かうに従って右側へと傾斜することを特徴とする請求項１記載の仮名入力装置。
【請求項３】
さらに、濁音キーが設けられており、濁音キーを選択したときに、
「か」行の各仮名に割り当てられたキーに、「が，ぎ，ぐ，げ，ご」の仮名がそれぞれ割り当てられ、
「さ」行の各仮名に割り当てられたキーに、「ざ，じ，ず，ぜ，ぞ」の仮名がそれぞれ割り当てられ、
「た」行の各仮名に割り当てられたキーに、「だ，ぢ，づ，で，ど」の仮名がそれぞれ割り当てられ、
「は」行の各仮名に割り当てられたキーに、「ば，び，ぶ，べ，ぼ」の仮名がそれぞれ割り当てられ、
「は」行の各仮名に割り当てられたキーに隣接するキーに、「ぱ，ぴ，ぷ，ぺ，ぽ」の仮名がそれぞれ割り当てられる、ことを特徴とする請求項１または２記載の仮名入力装置。
【請求項４】
電子機器に使用され、複数の文字割り当てキーからなり、該キーを選択することにより、該キーに割り当てられた文字に対応する信号を出力可能となり、該信号に対応する文字が電子機器に表示可能となった入力装置において、
さらにファンクションキーを有し、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーが選択されたときに、
「か」行の各仮名に割り当てられたキーに、「きゅう，きょう，きゃ，きゅ，きょ」の仮名がそれぞれ割り当てられ、
「さ」行の各仮名に割り当てられたキーに、「しゅう，しょう，しゃ，しゅ，しょ」の仮名がそれぞれ割り当てられ、
「た」行の各仮名に割り当てられたキーに、「ちゅう，ちょう，ちゃ，ちゅ，ちょ」の仮名がそれぞれ割り当てられ、
「な」行の各仮名に割り当てられたキーに、「にゅう，にょう，にゃ，にゅ，にょ」の仮名がそれぞれ割り当てられ
「は」行の各仮名に割り当てられたキーに、「ひゅう，ひょう，ひゃ，ひゅ，ひょ」の仮名がそれぞれ割り当てられ、
「ま」行の各仮名に割り当てられたキーに、「みゅう，みょう，みゃ，みゅ，みょ」の仮名がそれぞれ割り当てられ、
「ら」行の各仮名に割り当てられたキーに、「りゅう，りょう，りゃ，りゅ，りょ」の仮名がそれぞれ割り当てられる、ことを特徴とする仮名入力装置。
【請求項５】
さらに、濁音キーが設けられており、濁音キーとファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名に基本的に割り当てられたキーに隣接するキーに「ぴゅう，ぴょう，ぴゃ，ぴゅ，ぴょ」の仮名がそれぞれ割り当てられることを特徴とする請求項４記載の仮名入力装置。
【請求項６】
電子機器に使用され、複数の文字割り当てキーからなり、該キーを選択することにより、該キーに割り当てられた文字に対応する信号を出力可能となり、該信号に対応する文字が電子機器に表示可能となった入力装置において、
さらにファンクションキーを有し、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーが選択されたときに、
「か」行の各仮名に割り当てられたキーのいずれかに、「きゃく、きょく」の仮名がそれぞれ割り当てられ、
「さ」行の各仮名に割り当てられたキーのいずれかに、「しゃく，しょく」の仮名がそれぞれ割り当てられ、
「た」行の各仮名に割り当てられたキーのいずれかに、「ちゃく，ちょく」の仮名がそれぞれ割り当てられ、
「な」行の各仮名に割り当てられたキーのいずれかに、「にゃく，にょく」の仮名がそれぞれ割り当てられ、
「は」行の各仮名に割り当てられたキーのいずれかに、「ひゃく，ひょく」の仮名がそれぞれ割り当てられ、
「ま」行の各仮名に割り当てられたキーのいずれかに、「みゃく，みょく」の仮名がそれぞれ割り当てられ、
「ら」行の各仮名に割り当てられたキーのいずれかに、「りゃく，りょく」の仮名がそれぞれ割り当てられる、ことを特徴とする仮名入力装置。
【請求項７】
前記ファンクションキーが選択されたときに、「あ」行の各仮名に割り当てられたキーのいずれかに「しゃん」，「しゅく」，「しゅつ」，「しゅん」，「しょん」のいずれかの仮名が割り当てられる、ことを特徴とする請求項６記載の仮名入力装置。
【請求項８】
さらに、濁音キーが設けられており、濁音キーとファンクションキーとが同時に選択されたときに、各キーにファンクションキーが選択されたときに割り当てられていた第１番
目の仮名が濁音となる仮名である場合に、そのキーに第１番目の仮名が濁音に置き換えられた仮名が割り当てられ、「は」行の各仮名に基本的に割り当てられたキーに隣接するキーに、「ぴゃく，ぴょく」の仮名がそれぞれ割り当てられることを特徴とする請求項６または７記載の仮名入力装置。
【請求項９】
電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらに複数のファンクションキーを有し、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーの中の第１ファンクションキーが選択されたときに、各キーは、基本的に割り当てられた仮名○に対して「○ん」の仮名が割り当てられ、
前記ファンクションキーの中の第２ファンクションキーが選択されたときに、各キーは、基本的に割り当てられた仮名○に対して「○い」の仮名が割り当てられ、
前記ファンクションキーの中の第３ファンクションキーが選択されたときに、各キーは、基本的に割り当てられた仮名○に対して「○う」の仮名が割り当てられ、
前記ファンクションキーの中の第４ファンクションキーが選択されたときに、各キーは、基本的に割り当てられた仮名○に対して「○き」の仮名が割り当てられ、
前記ファンクションキーの中の第５ファンクションキーが選択されたときに、各キーは、基本的に割り当てられた仮名○に対して「○く」の仮名が割り当てられ、
前記ファンクションキーの中の第６ファンクションキーが選択されたときに、各キーは、基本的に割り当てられた仮名○に対して「○つ」の仮名が割り当てられる、ことを特徴とする仮名入力装置。
【請求項１０】
さらに、濁音キーが設けられており、濁音キーが選択されたときに、前記「○Ｘ」（Ｘ：ん，い，う，き，く，つのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる、ことを特徴とする請求項９記載の仮名入力装置。
【請求項１１】
さらに、第２濁音キー及び半濁音キーが設けられており、前記「○゛Ｘ」のキーが選択された後、第２濁音キーが選択されたときに、電子機器に「○゛Ｘ゛」が表示され、前記「○゛Ｘ」のキーが選択された後、半濁音キーが選択されたときに、電子機器に「○゛Ｘ゜」が表示される、ことを特徴とする請求項１０記載の仮名入力装置。
【請求項１２】
前記右側領域と前記中央領域との境界付近に位置するいずれかのキー、及び前記左側領域と前記中央領域との境界付近に位置するいずれかのキーに、接触することで識別可能な識別手段が設けられることを特徴とする請求項１ないし３のいずれか１項に記載の仮名入力装置。
【請求項１３】
電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらにファンクションキーを有し、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーが選択されたときに、
「あ」行の各仮名に割り当てられたキーのいずれかに、「ウィ，ウェ，ウォ」の片仮名
がそれぞれ割り当てられ、
「か」行の各仮名に割り当てられたキーのいずれかに、「クァ，クィ，クェ，クォ」の片仮名がそれぞれ割り当てられ、
「さ」行の各仮名に割り当てられたキーのいずれかに、「スィ，ティ，トォ」の片仮名がそれぞれ割り当てられ、
「た」行の各仮名に割り当てられたキーに、「ツァ，ツィ，テュ，ツェ，ツォ」の片仮名がそれぞれ割り当てられ、
「は」行の各仮名に割り当てられたキーに、「ファ，フィ，フュ，フェ，フォ」の片仮名がそれぞれ割り当てられる、
ことを特徴とする仮名入力装置。
【請求項１４】
さらに、濁音キーが設けられており、濁音キーとファンクションキーとが選択されたときに、各キーにファンクションキーが選択されたときに割り当てられていた第１番目の仮名が濁音となる仮名である場合に、そのキーに第１番目の仮名が濁音に置き換えられた仮名が割り当てられ、「あ」が割り当てられたキーに「ヴァ」の片仮名が割り当てられることを特徴とする請求項１３記載の仮名入力装置。
【請求項１５】
電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらにファンクションキーを有し、
文字割り当てキーには、少なくとも「あ」行、「か」行、「さ」行、「た」行、「な」行、「は」行、「ま」行、「や」行、「ら」行、「わ、を、ん」の各仮名が基本的に割り当てられており、
前記ファンクションキーが選択されたときに、各文字割り当てキーには使用者によって登録された所望の情報が割り当てられることを特徴とする仮名入力装置。
【請求項１６】
電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらに複数のファンクションキーを有し、
前記文字割り当てキーは、電子機器に複数段を持つ格子状に配置されており、
文字割り当てキーには、少なくとも「あ」行、「か」行、「さ」行、「た」行、「な」行、「は」行、「ま」行、「や」行、「ら」行、「わ、を、ん」の各仮名が基本的に割り
当てられることを特徴とする仮名入力装置。
【請求項１７】
前記文字割り当てキーは、遠方一段目のキーに、左側から右側に向かって「あ，い，う，え，お」の仮名がそれぞれ割り当てられ、
遠方二段目のキーに、左側から右側に向かって「か，き，く，け，こ」の仮名がそれぞれ割り当てられ、
遠方三段目のキーに、左側から右側に向かって「さ，し，す，せ，そ」の仮名がそれぞれ割り当てられ、
遠方四段目のキーに、左側から右側に向かって「た，ち，つ，て，と」の仮名がそれぞれ割り当てられ、
遠方五段目のキーに、左側から右側に向かって「な，に，ぬ，ね，の」の仮名がそれぞれ割り当てられ、
遠方六段目のキーに、左側から右側に向かって「は，ひ，ふ，へ，ほ」の仮名がそれぞれ割り当てられ、
遠方七段目のキーに、左側から右側に向かって「ま，み，む，め，も」の仮名がそれぞれ割り当てられ、
遠方八段目のキーに、左側から右側に向かって「ら，り，る，れ，ろ」の仮名がそれぞれ割り当てられ、
前記仮名が割り当てられない端部領域に、「わ，を，ん」、「や，ゆ，よ」の仮名がそれぞれ割り当てられる、ことを特徴とする請求項１６記載の仮名入力装置。
【請求項１８】
前記複数のファンクションキーの中の濁音キーが選択されたときに、
「か」行の各仮名に割り当てられたキーに、「が，ぎ，ぐ，げ，ご」の仮名がそれぞれ割り当てられ、
「さ」行の各仮名に割り当てられたキーに、「ざ，じ，ず，ぜ，ぞ」の仮名がそれぞれ割り当てられ、
「た」行の各仮名に割り当てられたキーに、「だ，ぢ，づ，で，ど」の仮名がそれぞれ割り当てられ、
「は」行の各仮名に割り当てられたキーに、「ば，び，ぶ，べ，ぼ」の仮名がそれぞれ割り当てられ、
「は」行の各仮名に割り当てられたキーに隣接するキーに、「ぱ，ぴ，ぷ，ぺ，ぽ」の仮名がそれぞれ割り当てられる、ことを特徴とする請求項１７記載の仮名入力装置。
【請求項１９】
前記複数のファンクションキーの中の第１のファンクションキーが選択されたときに、
「か」行の仮名が割り当てられた段に、「きゃ，きゅ，きょ，きゃく，きょく，きゅう，きょう」の仮名がそれぞれ割り当てられ、
「さ」行の仮名が割り当てられた段に、「しゃ，しゅ，しょ，しゃく，しょく，しゅう，しょう」の仮名がそれぞれ割り当てられ、
「た」行の仮名が割り当てられた段に、「ちゃ，ちゅ，ちょ，ちゃく，ちょく，ちゅう，ちょう」の仮名がそれぞれ割り当てられ、
「な」行の仮名が割り当てられた段に、「にゃ，にゅ，にょ，にゃく，にょく，にゅう，にょう」の仮名がそれぞれ割り当てられ
「は」行の仮名が割り当てられた段に、「ひゃ，ひゅ，ひょ，ひゃく，ひょく，ひゅう，ひょう」の仮名がそれぞれ割り当てられ、
「ま」行の仮名が割り当てられた段に、「みゃ，みゅ，みょ，みゃく，みょく，みゅう，みょう」の仮名がそれぞれ割り当てられ、
「ら」行の仮名が割り当てられた段に、「りゃ，りゅ，りょ，りゃく，りょく，りゅう，りょう」の仮名がそれぞれ割り当てられる、ことを特徴とする請求項１６ないし１８のいずれか１項に記載の仮名入力装置。
【請求項２０】
前記濁音キーと前記第１のファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名の割り当てられた段に隣接する段のキーの左側から右側に向かって、「ぴゃ，ぴゅ，ぴょ，ぴゃく，ぴょく，ぴゅう，ぴょう」の仮名がそれぞれ割り当てられることを特徴とする請求項１９記載の仮名入力装置。
【請求項２１】
前記複数のファンクションキーの中の第２のファンクションキーが選択されたときに、各キーは、基本的に割り当てられた仮名○に対して「○い」の仮名が割り当てられ、
前記ファンクションキーの中の第３のファンクションキーが選択されたときに、各キーは、基本的に割り当てられた仮名○に対して「○う」の仮名が割り当てられ、
前記ファンクションキーの中の第４のファンクションキーが選択されたときに、各キーは、基本的に割り当てられた仮名○に対して「○き」の仮名が割り当てられ、
前記ファンクションキーの中の第５のファンクションキーが選択されたときに、各キーは、基本的に割り当てられた仮名○に対して「○く」の仮名が割り当てられ、
前記ファンクションキーの中の第６のファンクションキーが選択されたときに、各キーは、基本的に割り当てられた仮名○に対して「○つ」の仮名が割り当てられ、
前記ファンクションキーの中の第７のファンクションキーが選択されたときに、各キーは、基本的に割り当てられた仮名○に対して「○ん」の仮名が割り当てられる、ことを特徴とする請求項１６ないし２０のいずれか１項に記載の仮名入力装置。
【請求項２２】
前記濁音キーが同時に選択されたときに、前記「○Ｘ」（Ｘ：い，う，き，く，つ，んのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる、ことを特徴とする請求項２１記載の仮名入力装置。
【請求項２３】
前記複数のファンクションキーの中の第８のファンクションキーが選択されたときに、
「あ」行の仮名が割り当てられた段に、「ウィ，ウェ，ウォ」の片仮名がそれぞれ割り当てられ、
「か」行の仮名が割り当てられた段に、「クァ，クィ，クェ，クォ」の片仮名がそれぞれ割り当てられ、
「さ」行の仮名が割り当てられた段に、「スィ，ティ，トォ」の片仮名がそれぞれ割り当てられ、
「た」行の仮名が割り当てられた段に、「ツァ，ツィ，テュ，ツェ，ツォ」の片仮名がそれぞれ割り当てられ、
「な」行の仮名が割り当てられた段に、「ニェ」の片仮名が割り当てられ、
「は」行の仮名が割り当てられた段に、「ファ，フィ，フュ，フェ，フォ」の片仮名がそれぞれ割り当てられる、ことを特徴とする請求項１６ないし２２のいずれか１項に記載の仮名入力装置。
【請求項２４】
前記濁音キーと前記第８のファンクションキーとが同時に選択されたときに、
「あ」行の仮名が割り当てられた段に、「ヴ，ヴァ，ヴィ，ヴェ，ヴォ，ヴュ」の片仮名がそれぞれ割り当てられ、
「か」行の仮名が割り当てられた段に、「グァ，グィ，グェ，グォ，ヴォ」の片仮名
がそれぞれ割り当てられ、
「さ」行の仮名が割り当てられた段に、「ズィ，ジュ」の片仮名がそれぞれ割り当てられ、
「た」行の仮名が割り当てられた段に、「ディ，デュ」の片仮名がそれぞれ割り当てられることを特徴とする請求項２３記載の仮名入力装置。
【請求項２５】
前記複数のファンクションキーの中の第９のファンクションキーが選択されたときに、
遠方一段目のキーの左側から右側に向かって、「Ａ，Ｂ，Ｃ，Ｄ，Ｅ，Ｆ，Ｇ」のアルファベットがそれぞれ割り当てられ、
遠方二段目のキーの左側から右側に向かって、「Ｈ，Ｉ，Ｊ，Ｋ，Ｌ，Ｍ，Ｎ」のアルファベットがそれぞれ割り当てられ、
遠方三段目のキーの左側から右側に向かって、「Ｏ，Ｐ，Ｑ，Ｒ，Ｓ，Ｔ，Ｕ」のアルファベットがそれぞれ割り当てられ、
遠方四段目のキーの左側から右側に向かって、「Ｖ，Ｗ，Ｘ，Ｙ，Ｚ」のアルファベットがそれぞれ割り当てられる、ことを特徴とする請求項１６ないし２４のいずれか１項に記載の仮名入力装置。
【請求項２６】
前記第９のファンクションキーと同時に前記複数のファンクションキーの中の第１０のファンクションキーが選択されたときに、各キーに割り当てられていたアルファベットの小文字がそれぞれ割り当てられることを特徴とする請求項２５記載の仮名入力装置。
【発明の詳細な説明】
【技術分野】
【０００１】
本発明は、コンピュータ、ワードプロセッサ、携帯電話、電子辞書、家電機器等の電子機器に使用される仮名入力装置に関する。
【背景技術】
【０００２】
従来、ＪＩＳ規格の仮名入力装置のキー配列がほとんどのコンピュータ、ワードプロセッサで採用されているが、その配列が覚えにくく、所謂「かな入力」をする場合、初心者、高齢者には使い勝手が悪いという問題がある。また、アルファベットを使って仮名を入力する、所謂「ローマ字入力」をする場合も、その配列が覚えにくく、且つ打鍵数が多くなるという問題がある。
【０００３】
かかる問題を解決するためのものとして、特許文献１では５０音入力装置用キーボードが提案されている。この５０音入力装置用キーボードでは、文字盤内のキー文字が仮名を五十音順に文字盤の中央から左右へ内側から外側に向けて展開すると共に、右手領域一段から順次右手領域四段へ、さらに左手領域一段から順次左手領域四段へと配置されている。より具体的には、図１６に示すように、右手領域一段目の２列目から外側に向けて「あ，い，う，え，お」と配列し、右手領域二段目の２列目から外側に向けて「か，き，く，け，こ」と配列し、右手領域三段面の２列目から外側に向けて「さ，し，す，せ，そ」と配列し、右手領域四段目の２列目から外側に向けて「た，ち，つ，て，と」と配列し、さらに、左手領域一段目の１列目から外側に向けて「な，に，ぬ，ね，の」と配列し、左手領域二段目の１列目から外側に向けて「は，ひ，ふ，へ，ほ」と配列し、左手領域三段目の１列目から外側に向けて、この場合に限って、キーの平仮名上段位置に「ま，み，む，め，も」と配列し、キーの平仮名下段位置に「や，ゆ，よ，わ，を」と配列し、左手領域四段目の１列目から外側に向けて「ら，り，る，れ，ろ」と配列している。
【０００４】
また、高使用頻度の単語シラブルを形成する２文字仮名または３文字仮名を、それらの最初の仮名文字のキーおよびその近傍位置のキーの仮名モード上段位置に配置している。具体的には、右手領域一段目の１列目上段に「きゃ」、７列目上段に「じゃ」、７列目下段に「じゅ」と配列し、右手領域二段目の１列目上段に「きゅ」、２列目上段に「きょ」、３列目上段に「きょう」、４列目上段に「ぎょう」、５列目上段に「きゅう」、６列目上段に「ぎゅう」、７列目下段に「じょ」と配列し、右手領域三段目の１列目上段に「しゃ」、２列目上段に「しゅ」、３列目上段に「しょう」、４列目上段に「じょう」、５列目上段に「しゅう」、６列目上段に「じゅう」、７列目下段に「ちょう」と配列し、右手領域四段目の１列目上段に「しょ」、２列目上段に「ちゃ」、６列目上段に「ちゅう」と配列し、さらに、左手領域一段目の２列目上段に「にゅう」、４列目上段に「にょう」、５列目上段に「のう」と配列し、左手領域二段目の２列目上段に「ひょう」、５列目上段に「ほう」と配列し、左手領域四段目の４列目上段に「りょう」、５列目上段に「りょく」と配列している。
【０００５】
以上のような配列にすることにより、覚えやすい配列とし、少ないキータッチによってタイプ速度の向上を図るようにしている。
【０００６】
【特許文献１】特許第３０９９２１０号公報（特許請求の範囲）
【発明の開示】
【発明が解決しようとする課題】
【０００７】
しかしながら、特許文献１に開示する配列では、覚えやすさ、使いやすさ、タイプ数の
合理化・低減化という点では不十分であり、改善するべき点がある。特に五十音の配列に関して、人間工学的に適しているとはいえず、また、拗音に関しては、限られた単語シラブルしか対応することができないという問題がある。
【０００８】
本発明はかかる問題に鑑みなされたもので、覚えやすく、使いやすく、さらにはタイプ数を一層、合理化・低減化させてタイプ速度を高速化することができる仮名入力装置を提供することをその目的とする。
【課題を解決するための手段】
【０００９】
上記課題を解決するために、本発明は、電子機器に使用され、複数のキーからなり、該キーを選択することにより、該キーに割り当てられた文字に対応する信号を出力可能となり、該信号に対応する文字が電子機器に表示可能となった入力装置において、
そのキー配列は、右側領域、中央領域及び左側領域を有し、各領域は手前から遠方に向かって複数の段で構成されており、
右側領域の手前一段目のキーに、中央側から右側に向かって「あ，い，う，え，お」の仮名がそれぞれ割り当てられ、
右側領域の手前二段目のキーに、中央側から右側に向かって「か，き，く，け，こ」の仮名がそれぞれ割り当てられ、
右側領域の手前三段目のキーに、中央側から右側に向かって「さ，し，す，せ，そ」の仮名がそれぞれ割り当てられ、
右側領域の手前四段目のキーに、中央側から右側に向かって「た，ち，つ，て，と」の仮名がそれぞれ割り当てられ、
左側領域の手前一段目のキーに、中央側から左側に向かって「な，に，ぬ，ね，の」の仮名がそれぞれ割り当てられ、
左側領域の手前二段目のキーに、中央側から左側に向かって「は，ひ，ふ，へ，ほ」の仮名がそれぞれ割り当てられ、
左側領域の手前三段目のキーに、中央側から左側に向かって「ま，み，む，め，も」の仮名がそれぞれ割り当てられ、
左側領域の手前四段目のキーに、中央側から左側に向かって「ら，り，る，れ，ろ」の仮名がそれぞれ割り当てられ、
中央領域のキーに、「や，ゆ，よ，わ，を，ん」の仮名がそれぞれ割り当てられる、ことを特徴とする。
【００１０】
請求項２記載の発明は、請求項１記載のものにおいて、前記左側領域と前記中央領域の境界線は、手前から遠方に向かうに従って左側へと傾斜し、前記右側領域と前記中央領域の境界線は、手前から遠方に向かうに従って右側へと傾斜することを特徴とする。
【００１１】
請求項３記載の発明は、請求項１または２記載のものにおいて、さらに、濁音キーが設けられており、濁音キーを選択したときに、
「か」行の各仮名に割り当てられたキーに、「が，ぎ，ぐ，げ，ご」の仮名がそれぞれ割り当てられ、
「さ」行の各仮名に割り当てられたキーに、「ざ，じ，ず，ぜ，ぞ」の仮名がそれぞれ割り当てられ、
「た」行の各仮名に割り当てられたキーに、「だ，ぢ，づ，で，ど」の仮名がそれぞれ割り当てられ、
「は」行の各仮名に割り当てられたキーに、「ば，び，ぶ，べ，ぼ」の仮名がそれぞれ割り当てられ、
「は」行の各仮名に割り当てられたキーに隣接するキーに、「ぱ，ぴ，ぷ，ぺ，ぽ」の仮名がそれぞれ割り当てられる、ことを特徴とする。
【００１２】
請求項４記載の発明は、電子機器に使用され、複数のキーからなり、該キーを選択することにより、該キーに割り当てられた文字に対応する信号を出力可能となり、該信号に対応する文字が電子機器に表示可能となった入力装置において、
前記複数のキーは、複数の文字割り当てキーとファンクションキーとからなり、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーが選択されたときに、
「か」行の各仮名に割り当てられたキーに、「きゅう，きょう，きゃ，きゅ，きょ」の仮名がそれぞれ割り当てられ、
「さ」行の各仮名に割り当てられたキーに、「しゅう，しょう，しゃ，しゅ，しょ」の仮名がそれぞれ割り当てられ、
「た」行の各仮名に割り当てられたキーに、「ちゅう，ちょう，ちゃ，ちゅ，ちょ」の仮名がそれぞれ割り当てられ、
「な」行の各仮名に割り当てられたキーに、「にゅう，にょう，にゃ，にゅ，にょ」の仮名がそれぞれ割り当てられ、
「は」行の各仮名に割り当てられたキーに、「ひゅう，ひょう，ひゃ，ひゅ，ひょ」の仮名がそれぞれ割り当てられ、
「ま」行の各仮名に割り当てられたキーに、「みゅう，みょう，みゃ，みゅ，みょ」の仮名がそれぞれ割り当てられ、
「ら」行の各仮名に割り当てられたキーに、「りゅう，りょう，りゃ，りゅ，りょ」の仮名がそれぞれ割り当てられる、ことを特徴とする。
【００１３】
請求項５記載の発明は、請求項４記載のものにおいて、さらに、濁音キーが設けられており、濁音キーとファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名に基本的に割り当てられたキーに隣接するキーに「ぴゅう，ぴょう，ぴゃ，ぴゅ，ぴょ」の仮名がそれぞれ割り当てられることを特徴とする。
【００１４】
請求項６記載の発明は、電子機器に使用され、複数のキーからなり、該キーを選択することにより、該キーに割り当てられた文字に対応する信号を出力可能となり、該信号に対応する文字が電子機器に表示可能となった入力装置において、
前記複数のキーは、複数の文字割り当てキーとファンクションキーとからなり、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーが選択されたときに、
「か」行の各仮名に割り当てられたキーのいずれかに、「きゃく、きょく」の仮名がそれぞれ割り当てられ、
「さ」行の各仮名に割り当てられたキーのいずれかに、「しゃく，しょく」の仮名がそれぞれ割り当てられ、
「た」行の各仮名に割り当てられたキーのいずれかに、「ちゃく，ちょく」の仮名がそれぞれ割り当てられ、
「な」行の各仮名に割り当てられたキーのいずれかに、「にゃく，にょく」の仮名がそれぞれ割り当てられ、
「は」行の各仮名に割り当てられたキーのいずれかに、「ひゃく，ひょく」の仮名がそれぞれ割り当てられ、
「ま」行の各仮名に割り当てられたキーのいずれかに、「みゃく，みょく」の仮名がそれぞれ割り当てられ、
「ら」行の各仮名に割り当てられたキーのいずれかに、「りゃく，りょく」の仮名がそれぞれ割り当てられる、ことを特徴とする。
【００１５】
請求項７記載の発明は、請求項６記載のものにおいて、前記ファンクションキーが選択されたときに、「あ」行の各仮名に割り当てられたキーのいずれかに「しゃん」，「しゅく」，「しゅつ」，「しゅん」，「しょん」のいずれかの仮名が割り当てられる、ことを特徴とする。
【００１６】
請求項８記載の発明は、請求項６または７記載のものにおいて、さらに、濁音キーが設けられており、濁音キーとファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名に基本的に割り当てられたキーに隣接するキーに、「ぴゃく，ぴょく」の仮名がそれぞれ割り当てられることを特徴とする。
【００１７】
請求項９記載の発明は、電子機器に使用され、複数のキーからなり、該キーを選択することにより、該キーに割り当てられた文字に対応する信号を該電子機器に入力可能となり、該電子機器に入力された信号に該当する文字が電子機器に表示可能となった入力装置において、
前記複数のキーは、複数の文字割り当てキーと複数のファンクションキーとからなり、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーの中の第１ファンクションキーが選択されたときに、各キーは、基本的に割り当てられた仮名○に対して「○ん」の仮名が割り当てられ、
前記ファンクションキーの中の第２ファンクションキーが選択されたときに、各キーは、基本的に割り当てられた仮名○に対して「○い」の仮名が割り当てられ、
前記ファンクションキーの中の第３ファンクションキーが選択されたときに、各キーは、基本的に割り当てられた仮名○に対して「○う」の仮名が割り当てられ、
前記ファンクションキーの中の第４ファンクションキーが選択されたときに、各キーは、基本的に割り当てられた仮名○に対して「○き」の仮名が割り当てられ、
前記ファンクションキーの中の第５ファンクションキーが選択されたときに、各キーは、基本的に割り当てられた仮名○に対して「○く」の仮名が割り当てられ、
前記ファンクションキーの中の第６ファンクションキーが選択されたときに、各キーは、基本的に割り当てられた仮名○に対して「○つ」の仮名が割り当てられる、ことを特徴とする。
【００１８】
請求項１０記載の発明は、請求項９記載のものにおいて、さらに、濁音キーが設けられており、濁音キーが選択されたときに、前記「○Ｘ」（Ｘ：ん，い，う，き，く，つのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる、ことを特徴とする。
【００１９】
請求項１１記載の発明は、請求項１０記載のものにおいて、さらに、第２濁音キー及び半濁音キーが設けられており、前記「○゛Ｘ」のキーが選択された後、第２濁音キーが選択されたときに、電子機器に「○゛Ｘ゛」が表示され、前記「○゛Ｘ」のキーが選択された後、半濁音キーが選択されたときに、電子機器に「○゛Ｘ゜」が表示される、ことを特徴とする。
【００２０】
請求項１２記載の発明は、請求項１ないし３のいずれか１項に記載の前記右側領域と前記中央領域との境界付近に位置するいずれかのキー、及び前記左側領域と前記中央領域との境界付近に位置するいずれかのキーに、接触することで識別可能な識別手段が設けられ
ることを特徴とする。
【００２１】
請求項１３記載の発明は、電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらにファンクションキーを有し、
文字割り当てキーには、少なくとも「あ」行、「か」行、「さ」行、「た」行、「な」行、「は」行、「ま」行、「や」行、「ら」行の各仮名が基本的に割り当てられており、
前記ファンクションキーが選択されたときに、
「あ」行の各仮名に割り当てられたキーのいずれかに、「ウィ，ウェ，ウォ」の片仮名がそれぞれ割り当てられ、
「か」行の各仮名に割り当てられたキーのいずれかに、「クァ，クィ，クェ，クォ」の片仮名がそれぞれ割り当てられ、
「さ」行の各仮名に割り当てられたキーのいずれかに、「スィ，ティ，トォ」の片仮名がそれぞれ割り当てられ、
「た」行の各仮名に割り当てられたキーに、「ツァ，ツィ，テュ，ツェ，ツォ」の片仮名がそれぞれ割り当てられ、
「は」行の各仮名に割り当てられたキーに、「ファ，フィ，フュ，フェ，フォ」の片仮名がそれぞれ割り当てられる、
ことを特徴とする。
【００２２】
請求項１４記載の発明は、請求項１３記載のものにおいて、さらに、濁音キーが設けられており、濁音キーとファンクションキーとが選択されたときに、各キーにファンクションキーが選択されたときに割り当てられていた第１番目の仮名が濁音となる仮名である場合に、そのキーに第１番目の仮名が濁音に置き換えられた仮名が割り当てられ、「あ」が割り当てられたキーに「ヴァ」の片仮名が割り当てられることを特徴とする。
【００２３】
請求項１５記載の発明は、電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらにファンクションキーを有し、
文字割り当てキーには、少なくとも「あ」行、「か」行、「さ」行、「た」行、「な」行、「は」行、「ま」行、「や」行、「ら」行、「わ、を、ん」の各仮名が基本的に割り当てられており、
前記ファンクションキーが選択されたときに、各文字割り当てキーには使用者によって登録された所望の情報が割り当てられることを特徴とする。
【００２４】
請求項１６記載の発明は、電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらに複数のファンクションキーを有し、
前記文字割り当てキーは、電子機器に複数段を持つ格子状に配置されており、
文字割り当てキーには、少なくとも「あ」行、「か」行、「さ」行、「た」行、「な」行、「は」行、「ま」行、「や」行、「ら」行、「わ、を、ん」の各仮名が基本的に割り
当てられることを特徴とする。
【００２５】
請求項１７記載の発明は、請求項１６記載のものにおいて、前記文字割り当てキーは、遠方一段目のキーに、左側から右側に向かって「あ，い，う，え，お」の仮名がそれぞれ割り当てられ、
遠方二段目のキーに、左側から右側に向かって「か，き，く，け，こ」の仮名がそれぞれ割り当てられ、
遠方三段目のキーに、左側から右側に向かって「さ，し，す，せ，そ」の仮名がそれぞれ割り当てられ、
遠方四段目のキーに、左側から右側に向かって「た，ち，つ，て，と」の仮名がそれぞれ割り当てられ、
遠方五段目のキーに、左側から右側に向かって「な，に，ぬ，ね，の」の仮名がそれぞれ割り当てられ、
遠方六段目のキーに、左側から右側に向かって「は，ひ，ふ，へ，ほ」の仮名がそれぞれ割り当てられ、
遠方七段目のキーに、左側から右側に向かって「ま，み，む，め，も」の仮名がそれぞれ割り当てられ、
遠方八段目のキーに、左側から右側に向かって「ら，り，る，れ，ろ」の仮名がそれぞれ割り当てられ、
前記仮名が割り当てられていない端部領域に、「わ，を，ん」、「や，ゆ，よ」の仮名がそれぞれ割り当てられる、ことを特徴とする。
【００２６】
請求項１８記載の発明は、請求項１７記載のものにおいて、前記複数のファンクションキーの中の濁音キーが選択されたときに、
「か」行の各仮名に割り当てられたキーに、「が，ぎ，ぐ，げ，ご」の仮名がそれぞれ割り当てられ、
「さ」行の各仮名に割り当てられたキーに、「ざ，じ，ず，ぜ，ぞ」の仮名がそれぞれ割り当てられ、
「た」行の各仮名に割り当てられたキーに、「だ，ぢ，づ，で，ど」の仮名がそれぞれ割り当てられ、
「は」行の各仮名に割り当てられたキーに、「ば，び，ぶ，べ，ぼ」の仮名がそれぞれ割り当てられ、
「は」行の各仮名に割り当てられたキーに隣接するキーに、「ぱ，ぴ，ぷ，ぺ，ぽ」の仮名がそれぞれ割り当てられる、ことを特徴とする。
【００２７】
請求項１９記載の発明は、請求項１６ないし１８のいずれか１項に記載のものにおいて、前記複数のファンクションキーの中の第１のファンクションキーが選択されたときに、
「か」行の仮名が割り当てられた段に、「きゃ，きゅ，きょ，きゃく，きょく，きゅう，きょう」の仮名がそれぞれ割り当てられ、
「さ」行の仮名が割り当てられた段に、「しゃ，しゅ，しょ，しゃく，しょく，しゅう，しょう」の仮名がそれぞれ割り当てられ、
「た」行の仮名が割り当てられた段に、「ちゃ，ちゅ，ちょ，ちゃく，ちょく，ちゅう，ちょう」の仮名がそれぞれ割り当てられ、
「な」行の仮名が割り当てられた段に、「にゃ，にゅ，にょ，にゃく，にょく，にゅう，にょう」の仮名がそれぞれ割り当てられ
「は」行の仮名が割り当てられた段に、「ひゃ，ひゅ，ひょ，ひゃく，ひょく，ひゅう，ひょう」の仮名がそれぞれ割り当てられ、
「ま」行の仮名が割り当てられた段に、「みゃ，みゅ，みょ，みゃく，みょく，みゅう，みょう」の仮名がそれぞれ割り当てられ、
「ら」行の仮名が割り当てられた段に、「りゃ，りゅ，りょ，りゃく，りょく，りゅう，りょう」の仮名がそれぞれ割り当てられる、ことを特徴とする。
【００２８】
請求項２０記載の発明は、請求項１９記載のものにおいて、前記濁音キーと前記第１のファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名の割り当てられた段に隣接する段のキーの左側から右側に向かって、「ぴゃ，ぴゅ，ぴょ，ぴゃく，ぴょく，ぴゅう，ぴょう」の仮名がそれぞれ割り当てられることを特徴とする。
【００２９】
請求項２１記載の発明は、請求項１６ないし２０のいずれか１項に記載のものにおいて、前記複数のファンクションキーの中の第２のファンクションキーが選択されたときに、各キーは、基本的に割り当てられた仮名○に対して「○い」の仮名が割り当てられ、
前記ファンクションキーの中の第３のファンクションキーが選択されたときに、各キーは、基本的に割り当てられた仮名○に対して「○う」の仮名が割り当てられ、
前記ファンクションキーの中の第４のファンクションキーが選択されたときに、各キーは、基本的に割り当てられた仮名○に対して「○き」の仮名が割り当てられ、
前記ファンクションキーの中の第５のファンクションキーが選択されたときに、各キーは、基本的に割り当てられた仮名○に対して「○く」の仮名が割り当てられ、
前記ファンクションキーの中の第６のファンクションキーが選択されたときに、各キーは、基本的に割り当てられた仮名○に対して「○つ」の仮名が割り当てられ、
前記ファンクションキーの中の第７のファンクションキーが選択されたときに、各キーは、基本的に割り当てられた仮名○に対して「○ん」の仮名が割り当てられる、ことを特徴とする。
【００３０】
請求項２２記載の発明は、請求項２１記載のものにおいて、前記濁音キーが同時に選択されたときに、前記「○Ｘ」（Ｘ：い，う，き，く，つ，んのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる、ことを特徴とする。
【００３１】
請求項２３記載の発明は、請求項１６ないし２２のいずれか１項に記載のものにおいて、前記複数のファンクションキーの中の第８のファンクションキーが選択されたときに、
「あ」行の仮名が割り当てられた段に、「ウィ，ウェ，ウォ」の片仮名がそれぞれ割り当てられ、
「か」行の仮名が割り当てられた段に、「クァ，クィ，クェ，クォ」の片仮名がそれぞれ割り当てられ、
「さ」行の仮名が割り当てられた段に、「スィ，ティ，トォ」の片仮名がそれぞれ割り当てられ、
「た」行の仮名が割り当てられた段に、「ツァ，ツィ，テュ，ツェ，ツォ」の片仮名がそれぞれ割り当てられ、
「な」行の仮名が割り当てられた段に、「ニェ」の片仮名が割り当てられ、
「は」行の仮名が割り当てられた段に、「ファ，フィ，フュ，フェ，フォ」の片仮名がそれぞれ割り当てられる、ことを特徴とする。
【００３２】
請求項２４記載の発明は、請求項２３記載のものにおいて、前記濁音キーと前記第８のファンクションキーとが同時に選択されたときに、
「あ」行の仮名が割り当てられた段に、「ヴ，ヴァ，ヴィ，ヴェ，ヴォ，ヴュ」の片仮名がそれぞれ割り当てられ、
「か」行の仮名が割り当てられた段に、「グァ，グィ，グェ，グォ，ヴォ」の片仮名
がそれぞれ割り当てられ、
「さ」行の仮名が割り当てられた段に、「ズィ，ジュ」の片仮名がそれぞれ割り当てられ、
「た」行の仮名が割り当てられた段に、「ディ，デュ」の片仮名がそれぞれ割り当てられることを特徴とする。
【００３３】
請求項２５記載の発明は、請求項１６ないし２４のいずれか１項に記載のものにおいて、前記複数のファンクションキーの中の第９のファンクションキーが選択されたときに、
遠方一段目のキーの左側から右側に向かって、「Ａ，Ｂ，Ｃ，Ｄ，Ｅ，Ｆ，Ｇ」のアルファベットがそれぞれ割り当てられ、
遠方二段目のキーの左側から右側に向かって、「Ｈ，Ｉ，Ｊ，Ｋ，Ｌ，Ｍ，Ｎ」のアルファベットがそれぞれ割り当てられ、
遠方三段目のキーの左側から右側に向かって、「Ｏ，Ｐ，Ｑ，Ｒ，Ｓ，Ｔ，Ｕ」のアルファベットがそれぞれ割り当てられ、
遠方四段目のキーの左側から右側に向かって、「Ｖ，Ｗ，Ｘ，Ｙ，Ｚ」のアルファベットがそれぞれ割り当てられる、ことを特徴とする。
【００３４】
請求項２６記載の発明は、請求項２５記載のものにおいて、前記第９のファンクションキーと同時に前記複数のファンクションキーの中の第１０のファンクションキーが選択されたときに、各キーに割り当てられていたアルファベットの小文字がそれぞれ割り当てられることを特徴とする。
【発明の効果】
【００３５】
右利きの人が多いことを考慮して人間工学的に考えると、手前段及び右側の方に使用頻度の高い文字を配列した方が適切である。使用頻度は、母音である「あ」行が高く、また、「あ」行から「ら」行の中では前半の文字の方が高い傾向にあるので、請求項１記載の本発明によれば、この使用頻度の傾向に合致したキー配列となっており、覚えやすく、使いやすいものとすることができる。
【００３６】
請求項２記載の発明によれば、右側領域と左側領域の離間距離は、手前から遠方に向か
って広がるように、即ち、右側領域と中央領域の境界線と、中央領域と左側領域の境界線が「逆ハ字」構造となるように設定されおり、手のつけ根を中心として回転移動させたときの移動軌跡と一致させることができるので、より使いやすいものとすることができる。
【００３７】
請求項３記載の発明によれば、濁音・半濁音の仮名の入力を簡単に行うことができる。
【００３８】
請求項４記載の発明によれば、入力に手間がかかり、間違いやすい一方で頻度の高い仮名列「しょう」、「しゅう」、「ちょう」、「きゅう」、「きょう」等を一つのキーに割り当てることで、キー選択数を低減し、入力の容易化・高速化を図ることができる。基本的に割り当てられた仮名との関係に規則性があるので覚えやすく、使いやすいものとすることができる
【００３９】
請求項５記載の発明によれば、濁音・半濁音の仮名の入力を簡単に行うことができる。
【００４０】
請求項６記載の発明によれば、入力に手間がかかり、間違いやすい一方で頻度の高い仮名列「きゃく」、「きょく」、「しゃく」、「しょく」等を一つのキーに割り当てることで、キー選択数を低減し、入力の容易化・高速化を図ることができる。基本的に割り当てられた仮名との関係に規則性があるので覚えやすく、使いやすいものとすることができる。
【００４１】
請求項７記載の発明によれば、入力に手間がかかり、間違いやすい一方で頻度の高い仮名列「しゃん」，「しゅく」，「しゅつ」，「しゅん」，「しょん」を一つのキーに割り当てることで、キー選択数を低減し、入力の容易化・高速化を図ることができる。
【００４２】
請求項８記載の発明によれば、濁音・半濁音の仮名の入力を簡単に行うことができる。
【００４３】
請求項９記載の発明によれば、日本語の音読みの語尾は、「ん，い，う，き，く，つ」となることが大半であるので、それらが語尾となった組み合わせの仮名が一つのキーに割り当てられることで、キー選択数を合理化・低減化し、入力の容易化・高速化を図ることができる。その組み合わせに割り当てられたキーの語頭の仮名は、そのキーに基本的に割り当てられた仮名と同じであり規則性があるので、覚えやすく、使いやすいものとすることができる。
【００４４】
請求項１０及び１１記載の発明によれば、濁音・半濁音の仮名の入力を簡単に行うことができる。
【００４５】
請求項１２記載の発明によれば、右側領域と中央領域との境界及び左側領域と中央領域との境界を識別手段で識別することができるので、入力装置を見ずに入力をすることができるようになる。
【００４６】
請求項１３記載の発明によれば、ファンクションキーを選択することにより、使用頻度の高く入力し難い片仮名列を一つのキーに割り当てることができる。
【００４７】
請求項１４記載の発明によれば、濁音キーとファンクションキーとを選択することにより、濁音のついた片仮名列を一つのキーに割り当てることができる。
【００４８】
請求項１５記載の発明によれば、各文字割り当てキーに使用者が所望の情報を割り当てることができるため、簡単に情報を管理することができる。
【００４９】
請求項１６記載の発明によれば、格子状に各文字を配置することにより、文字を探す手間が省け、容易に文字入力を行うことができる。
【００５０】
請求項１７記載の発明によれば、文字割り当てキーの配列が遠方から手前に向かってほぼ５０音順に並ぶため、文字を容易に探すことができ、入力の容易化・高速化を図ることができる。
【００５１】
請求項１８記載の発明によれば、濁音の仮名の入力を簡単に行うことができる。
【００５２】
請求項１９記載の発明によれば、「きゃく」、「きょく」などの入力に手間がかかり、間違いやすい一方で頻度の高い仮名列を一つのキーに割り当てることで、キー選択数を低減し、入力の容易化・高速化を図ることができる。
【００５３】
請求項２０記載の発明によれば、第１のファンクションキーを選択したことによって割り当てられた仮名列を半濁音のついた仮名列に容易に変更することができる。
【００５４】
請求項２１記載の発明によれば、日本語の音読みの語尾の大半を占める「ん，い，う，き，く，つ」が語尾となった組み合わせの仮名を一つのキーに割り当てることで、キー選択数を合理化・低減化し、入力の容易化・高速化を図ることができる。
【００５５】
請求項２２記載の発明によれば、濁音・半濁音の仮名列を文字割り当てキーに容易に割り当てることができる。
【００５６】
請求項２３記載の発明によれば、使用頻度の高い片仮名列を一つのキーに割り当てることができるため、入力の容易化・高速化を図ることができる。
【００５７】
請求項２４記載の発明によれば、濁音を有する片仮名列に容易に変換することができる。
【００５８】
請求項２５記載の発明によれば、一つのファンクションキーを選択するだけで、文字割り当てキーに大文字のアルファベットの文字を容易に割り当てることができる。
【００５９】
請求項２６記載の発明によれば、アルファベットの文字を大文字から小文字に容易に変更することができる。
【発明を実施するための最良の形態】
【００６０】
以下、図面を用いて本発明の実施の形態を説明する。
１．第１の実施の形態
図１５は、本発明の第１の実施形態による仮名入力装置１を含む電子機器２のブロック図である。電子機器２としては、コンピュータ、ワードプロセッサ、携帯電話、電子辞書、家電機器等の任意の機器とすることができ、仮名入力装置１は、複数の打鍵可能なキーが配列されたキーボードやまたは複数の接触可能なキーが配列されたタッチパネルからなる入力手段４を備えている。以下、キーの打鍵または接触を「選択」と称し、一回または継続的な打鍵または接触のどちらでもよいものとする。
【００６１】
仮名入力装置１は入力キー処理手段５を備えており、該入力キー処理手段５は、前記キーが選択されることにより、そのキーに割り当てられた文字に対応する信号を電子機器２に備えられる日本語入力システム６に出力する。仮名入力装置１からは、仮名及び英数記号の文字に対応する信号が出力される。日本語入力システム６に入力された信号に対応する文字は、表示手段９に表示されると共に、図示しない「変換」キーの入力によって、仮名漢字変換手段７が漢字候補データベース８からの候補漢字に変換して、表示手段９にその候補漢字を表示する。日本語入力システム６は汎用のシステムとすることができる。
【００６２】
この本発明の仮名入力装置１の入力手段４のキーは、図１に示すように、大別して、文字が割り当てられる文字割り当てキー１０と、それ以外の機能を持つファンクションキー１２とに分類することができる。図示の例は、現行主流となっているＱＷＥＲＴＹキーボードを基本としているが、これに限るものではない。
【００６３】
文字割り当てキー１０は、大別して、右側領域１０Ｒと、中央領域１０Ｃと、左側領域１０Ｌとに分けることができ、各領域はそれぞれ手前から遠方に向かって複数段（１０Ｒ−１、１０Ｒ−２、・・・１０Ｃ−１、１０Ｃ−２、・・・、１０Ｌ−１、１０Ｌ−２、・・・）からなっている。さらに、中央領域１０Ｃと左側領域１０Ｌとの間の境界線は、手前から遠方に向かって中央側から左側へと広がり、また、右側領域１０Ｒと中央領域１０Ｃとの間の境界線は、手前から遠方に向かってジグザグとなってはいるが全体としては手前から遠方に向かって中央側から右側へと広がっており、結果として、右側領域１０Ｒと左側領域１０Ｌの離間距離は、手前から遠ざかるに従って広がるように、即ち、２つの境界線は「逆ハ字」構造となるように設定されている。
【００６４】
右側領域１０Ｒと中央領域１０Ｃとの境界に位置するキーと、左側領域１０Ｌと中央領域１０Ｃとの境界に位置するキーには、突起のような接触することで識別可能な識別手段１３が設けられるとよく、これによって、直接目視しなくても、境界を認識することができてブラインドタッチを行うことができる。
【００６５】
そして、ファンクションキー１２を選択することにより、文字割り当てキー１０に割り当てられるキーが変更される複数の面からなる多層構造となっており、且つ、複数の面間において、右側領域１０Ｒ、中央領域１０Ｃ、左側領域１０Ｌの配列に関連を持たせることによって、多層構造においても、同じ規則性に基づいて入力を行うことができて、覚えやすく、使いやすいものとすることができる。以下、各面について順次説明する。
【００６６】
・  基本面（仮名第１面）
図２は、基本面の文字割り当てキーの配列を表している。この基本面は、初期値とすることが望ましい。
【００６７】
文字割り当てキー１０に割り当てられる文字である仮名としては、右側領域の手前一段目１０Ｒ−１のキーに、中央側から右側に向かって、「あ」行の「あ，い，う，え，お」が割り当てられ、右側領域の手前二段目１０Ｒ−２のキーに、中央側から右側に向かって、「か」行の「か，き，く，け，こ」が割り当てられ、右側領域の手前三段目１０Ｒ−３のキーに、中央側から右側に向かって、「さ」行の「さ，し，す，せ，そ」が割り当てられ、右側領域の手前四段目１０Ｒ−４のキーに、中央側から右側に向かって、「た」行の「た，ち，つ，て，と」が割り当てられ、左側領域の手前一段目１０Ｌ−１のキーに、中央側から左側に向かって、「な」行の「な，に，ぬ，ね，の」が割り当てられ、左側領域の手前二段目１０Ｌ−２のキーに、中央側から左側に向かって、「は」行の「は，ひ，ふ，へ，ほ」が割り当てられ、左側領域の手前三段目１０Ｌ−３のキーに、中央側から左側に向かって、「ま」行の「ま，み，む，め，も」が割り当てられ、左側領域の手前四段目１０Ｌ−４のキーに、中央側から左側に向かって、「ら」行の「ら，り，る，れ，ろ」が割り当てられ、中央領域１０Ｃのキーに、「や，ゆ，よ，わ，を，ん」が割り当てられる。
【００６８】
中央領域１０Ｃについては、詳細には、中央領域の手前四段目１０Ｃ−４に右側から左側に向かって、「や」行の「や，ゆ，よ」が割り当てられ、中央領域の手前三段目１０Ｃ−３に左側から右側に向かって、「わ」行の「わ，を」が割り当てられ、中央領域の手前二段目１０Ｃ−２に句読点「、，。」が割り当てられ、中央領域の手前一段目１０Ｃ−１に「ん」が割り当てられる。
【００６９】
以上の割り当ての基本的な考え方は、右利きの人が多いことを考慮して人間工学的に考えると、手前段及び右側の方に使用頻度の高い文字を配列した方が良く、且つ最も頻度の高い文字は、母音の「あ」行であり、「あ」行から「ら」行の中では前半の文字の方が頻度が高いということに基づく。また、前述のように右側領域１０Ｒと左側領域１０Ｌとが「逆ハ字」構造となっているために、手のつけ根を中心として回転移動させたときの移動軌跡と一致させることができて、より使用勝手が良いものとなる。
【００７０】
そして、「あ」から「ん」までの４６字は、この基本面で一様に展開されるために、覚えやすいものとなっている。
【００７１】
また、濁音、半濁音についてはファンクションキー１２の一つであるＰＦ１１、ＰＦ１２にそれぞれ割り当てられている。各仮名を入力後、ＰＦ１１，ＰＦ１２を押すことによって、濁音、半濁音が追加される。
【００７２】
（２）基本＋シフト面（仮名第２面）
（１）の基本面に対してファンクションキー１２の一つであるシフトキー１２Ａを選択すると、図３に示す文字割り当てキーの配列となる。
【００７３】
この面における文字割り当てキー１０に割り当てられる文字である仮名としては、右側領域の手前一段目１０Ｒ−１の基本面で「あ」行が割り当てられていたキーに、中央側から右側に向かって「ぁ，ぃ，ぅ，ぇ，ぉ」が割り当てられ、右側領域の手前二段目１０Ｒ−２の基本面で「か」行が割り当てられていたキーに、中央側から右側に向かって「きゅう，きょう，きゃ，きゅ，きょ」が割り当てられ、右側領域の手前三段目１０Ｒ−３の基本面で「さ」行が割り当てられていたキーに、中央側から右側に向かって「しゅう，しょう，しゃ，しゅ，しょ」が割り当てられ、右側領域の手前四段目１０Ｒ−４の基本面で「た」行が割り当てられていたキーに、中央側から右側に向かって「ちゅう，ちょう，ちゃ，ちゅ，ちょ」が割り当てられ、左側領域の手前一段目１０Ｌ−１の基本面で「な」行が割り当てられていたキーに、中央側から左側に向かって「にゅう，にょう，にゃ，にゅ，にょ」が割り当てられ、左側領域の手前二段目１０Ｌ−２の基本面で「は」行が割り当てられていたキーに、中央側から左側に向かって「ひゅう，ひょう，ひゃ，ひゅ，ひょ」が割り当てられ、左側領域の手前三段目１０Ｌ−３の基本面で「ま」行が割り当てられていたキーに、中央側から左側に向かって「みゅう，みょう，みゃ，みゅ，みょ」が割り当てられ、左側領域の手前四段目１０Ｌ−４の基本面で「ら」行が割り当てられていたキーに、中央側から左側に向かって「りゅう，りょう，りゃ，りゅ，りょ」が割り当てられ、中央領域１０Ｃのキーに、「ゃ，ゅ，ょ，っ」が割り当てられる。
【００７４】
さらに中央領域１０Ｃについては、詳細には、中央領域の手前四段目１０Ｃ−４に右側から左側に向かって「ゃ，ゅ，ょ」が割り当てられ、中央領域の手前三段目１０Ｃ−３に左側から右側に向かって長音と中点である「ー，・」が割り当てられる。
【００７５】
従来のＪＩＳ規格のキーボードでは、シフトの位置に「ぁ，ぃ，ぅ，ぇ，ぉ，ゃ，ゅ，
ょ，っ」と、句読点、「」、記号が割り当てられているだけであるが、この実施形態では、「ぁ，ぃ，ぅ，ぇ，ぉ，ゃ，ゅ，ょ，っ」の他に、最も入力に手間がかかり、間違いやすい一方で頻度の高い仮名列「しょう」、「しゅう」、「ちょう」、「きゅう」、「きょう」等を割り当てている。
【００７６】
例えば、基本面の「さしすせそ」をシフトすると「しゅう，しょう，しゃ，しゅ，しょ」になる。「あいうえお」と「やゆよ」以外の各行は、同様の変換「○ゅう，○ょう，○ゃ，○ゅ，○ょ」が成り立つ仮名がそれぞれ「い」段に存在するので、同様の規則に従い、対応する行に「○ゅう，○ょう，○ゃ，○ゅ，○ょ」を割り当てる。
【００７７】
促音「っ」は、「つ」のシフトが「ちゃ」に割り当てられてしまうので、「ん」のシフトとする。また、長音「ー」と中点「・」はそれぞれ「わ」と「を」のシフトとする。
【００７８】
この仮名第２面の仮名列を用いる単語の例としては、「社長（しゃちょう）」、「吸収（きゅうしゅう）」、「九州（きゅうしゅう）」等多数ある。「きゃ」、「きゅ」及び左側領域に割り当てられる「○ゅう」、「○ゃ」、「○ゅ」、「○ょ」は、比較的使用頻度が低いが、擬音などの用途がある。
【００７９】
（３）「○ょく」面（仮名第３面）
（１）の基本面に対してファンクションキー１２の一つである「かな３」キー１２Ｂを選択すると、図４に示す文字割り当てキーの配列となる。
【００８０】
この面における文字割り当てキー１０に割り当てられる文字である仮名としては、右側領域の手前一段目１０Ｒ−１の基本面で「あ」行の割り当てられていたキーに、中央側から右側に向かって「しゃん，しゅく，しゅつ，しゅん，しょん」が割り当てられ、右側領域の手前二段目１０Ｒ−２の基本面で「か」行の割り当てられていたキーに、中央側から４番目から右側に向かって「きゃく，きょく」が割り当てられ、右側領域の手前三段目１０Ｒ−３の基本面で「さ」行の割り当てられていたキーに、中央側から４番目から右側に向かって「しゃく，しょく」が割り当てられ、右側領域の手前四段目１０Ｒ−４の基本面で「た」行の割り当てられていたキーに、中央側から４番目から右側に向かって「ちゃく，ちょく」が割り当てられ、左側領域の手前一段目１０Ｌ−１の基本面で「な」行の割り当てられていたキーに、中央側から４番目から左側に向かって「にゃく，にょく」が割り当てられ、左側領域の手前二段目１０Ｌ−２の基本面で「は」行の割り当てられていたキーに、中央側から４番目から左側に向かって「ひゃく，ひょく」が割り当てられ、左側領域の手前三段目１０Ｌ−３の基本面で「ま」行の割り当てられていたキーに、中央側から４番目から左側に向かって「みゃく，みょく」が割り当てられ、左側領域の手前四段目１０Ｌ−４の基本面で「ら」行の割り当てられていたキーに、中央側から４番目から左側に向かって「りゃく，りょく」が割り当てられている。
【００８１】
仮名第２面で割り当てた「○ょう」については、変形として「○ゃく」、「○ょく」が存在するので、仮名第３面に「○ょう」よりも外側の対応する段の中央側から３番目から「○ゃく」、「○ょく」を割り当てる。これによって、仮名第２面に割り当てられた仮名列と仮名第３面で割り当てられた仮名列とを混乱して打ち間違えるおそれを低減させることができる。
【００８２】
さらに、「し」に関しては、使用頻度の高い、「しゅく」、「しゅつ」、「しゅん」、の仮名列が存在する。例えば、「祝、宿、出、術、瞬、旬、純」などの漢字を入力するのに使われる。そこで、これらは、基本面の「い、う、え」に対応させるとよい。また、「しゃん」としては「マージャン」、「しゃんしゃん」といった使われ方があるので、基本面の「あ」に対応させ、「しょん」としては「マンション」、「ジョン」といった外来語によく使われるので、基本面の「お」に対応させる。真ん中の「や、ゆ、よ」に対応させて「あ」行の仮名を順番に割り当てることで規則性を持たせて覚えやすいものとすることができる。
【００８３】
（４）「ん」面
（１）の基本面に対してファンクションキー１２の一つである「ん面」キー１２Ｃを選択すると、図５に示す文字割り当てキーの配列となる。
【００８４】
文字割り当てキー１０に割り当てられる文字である仮名としては、基本面にて割り当てられた仮名「○」に対して、「○ん」を同じキーに割り当てる。
【００８５】
この「○ん」は使用頻度が高く、「千、万、円、件、点、巻、本」等の数詞、単位があり、この「ん」面の中で対応する漢字がないのは「ぬん」、「るん」のみである。さらには「○ん○ん」の仮名列の例としては、「簡単（かんたん）」、「新鮮（しんせん）」、「感染（かんせん）」、「幹線（かんせん）」、「安心（あんしん）」等がある。これらの単語はこの「ん」面の２つのキーの選択で入力が完了するので、入力の合理化、低減化及び高速化を図ることができる。
【００８６】
（５）「い」面
（１）の基本面に対してファンクションキー１２の一つである「い面」キー１２Ｄを選択すると、図６に示す文字割り当てキーの配列となる。
【００８７】
文字割り当てキー１０に割り当てられる文字である仮名としては、基本面にて割り当てられた仮名「○」に対して、「○い」を同じキーに割り当てる。
【００８８】
「○い○い」の仮名列の例としては、「経営（けいえい）」、「明細（めいさい）」、「訂正（ていせい）」、「平成（へいせい）」、「形成（けいせい）」等がある。これらの単語はこの「い」面の２つのキーの選択で入力が完了するので、入力の合理化、低減化及び高速化を図ることができる。
【００８９】
（６）「う」面
（１）の基本面に対してファンクションキー１２の一つである「う面」キー１２Ｅを選択すると、図７に示す文字割り当てキーの配列となる。
【００９０】
文字割り当てキー１０に割り当てられる文字である仮名としては、基本面にて割り当てられた仮名「○」に対して、「○う」を同じキーに割り当てる。但し、例外的に基本的に割り当てられた仮名「せ」に対しては、使用頻度の観点から「ぜろ」とする。このような例外は適宜設定可能である。
【００９１】
「○う○う」の仮名列の例としては、「高校（こうこう）」、「走行（そうこう）」、「通行（つうこう）」、「空港（くうこう）」、「有用（ゆうよう）」等がある。これらの単語はこの「う」面の２つのキーの選択で入力が完了するので、入力の合理化、低減化及び高速化を図ることができる。
【００９２】
（７）「き」面
（１）の基本面に対してファンクションキー１２の一つである「き面」キー１２Ｆを選択すると、図８に示す文字割り当てキーの配列となる。但し、例外的に基本的に割り当てられた仮名「け」に対しては、使用頻度の観点から「げき」とする。このような例外は適宜設定可能である。
【００９３】
文字割り当てキー１０に割り当てられる文字である仮名としては、基本面にて割り当てられた仮名「○」に対して、「○き」を同じキーに割り当てる。
【００９４】
（８）「く」面
（１）の基本面に対してファンクションキー１２の一つである「く面」キー１２Ｇを選択すると、図９に示す文字割り当てキーの配列となる。
【００９５】
文字割り当てキー１０に割り当てられる文字である仮名としては、基本面にて割り当てられた仮名「○」に対して、「○く」を同じキーに割り当てる。
【００９６】
この「○く」の場合、次の仮名列との組み合わせによっては、「く」が促音「っ」になる場合がある。例えば、「国会」、「黒海」、「各国」、「陸橋」、「即興」、「即刻」、「白骨」、「約款」、「速乾」、「活発」等多数がある。よって、「○く□×」の入力に対して、日本語入力システム６の仮名漢字変換手段７は、「○く□×」と「○っ□×」の２通りの漢字候補を求めるようにするとよい。
【００９７】
「○く○く」の仮名列の例としては、「目測（もくそく）」、「確約（かくやく）」、「憶測（おくそく）」、「督促（とくそく）」、「北陸（ほくりく）」等がある。これらの単語はこの「く」面の２つのキーの選択で入力が完了するので、入力の合理化、低減化及び高速化を図ることができる。
【００９８】
（９）「つ」面
（１）の基本面に対してファンクションキー１２の一つである「つ面」キー１２Ｈを選択すると、図１０に示す文字割り当てキーの配列となる。
【００９９】
文字割り当てキー１０に割り当てられる文字である仮名としては、基本面にて割り当てられた仮名「○」に対して、「○つ」を同じキーに割り当てる。但し、例外的に基本的に割り当てられた仮名「ほ」に対しては、使用頻度の観点から「ぼつ」とする。このような例外は適宜設定可能である。
【０１００】
「く」面と同様に、「○つ」の場合、次の仮名列との組み合わせによっては、「つ」が促音「っ」になる場合がある。例えば、「結婚（けっこん）」、「突風（とっぷう）」、「達成（たっせい）」、「徹底（てってい）」、「発表（はっぴょう）」、「鉄橋（てっきょう）」、「立教（りっきょう）」、「列強（れっきょう）」、「圧巻（あっかん）」、「鉄管（てっかん）」、「結晶（けっしょう）」等多数がある。よって、「○つ□×」の入力に対して、日本語入力システム６の仮名漢字変換手段７は、「○つ□×」と「○っ□×」の２通りの漢字候補を求めるようにするとよい。
【０１０１】
以上の（４）〜（９）で挙げた「○ん」、「○い」、「○う」、「○き」、「○く」、「○つ」で日本語の音読みは大半がカバーできる。例えば、これらの組み合わせの単語の例として、「○ん○う」、「○う○ん」の仮名列の単語例としては、「進行（しんこう）」、「銀行（ぎんこう）」、「健康（けんこう）」、「後半（こうはん）」、「鋼板（ごうはん）」、「通販（つうはん）」等、多数あり、「○い○う」、「○う○い」の仮名列の単語例としては、「傾向（けいこう）」、「最高（さいこう）」、「内装（ないそう）」、「配送（はいそう）」、「総計（そうけい）」、「交代（こうたい）」、「統計（とうけい）」等、多数ある。これらの組み合わせは、２つの面を切り換えてそれぞれ１つのキーを選択することで入力が完成するので、入力の合理化、低減化及び高速化を図ることができる。
【０１０２】
２文字の仮名列としては、以上の他に「○ち」があり、よって、「ち面」をさらに多層
構造の一つの面とすることも可能である。但し、「○ち」を使用する単語は、「価値（かち）」、「位置（いち）」、「拉致（らち）」、「措置（そち）」、「基地（きち）」、「土地（とち）」、「既知（きち）」といったように２文字の単語が多く、選択文字数の合理化効果は比較的少ないので、「ち面」は省略することも可能である。この実施形態では、「つ」面の中央領域１０Ｃに「いち」、「しち」、「はち」、「ひち」を割り当てている。これによって、数称については、「零（ぜろ）」、「一（いち）」、・・・「十（じゅう）」、「百（ひゃく）」、「千（せん）」、「万（まん）」、「億（おく）」、「兆（ちょう）」が全て合理化される。
【０１０３】
また、「つ」面の中央領域１０Ｃにおいて、基本面の「。」に対応し、且つ「かつ」に隣接するキーに「にち」を割り当てている。
【０１０４】
（１０）英数面
以上は仮名の入力であったが、英数に関しても合理的な配列とすることが可能である。図１１及び図１２は、英数キー１２Ｉが選択されたときの、英数面の文字割り当てキーの配列を表している。この例では、手前一段目から左側領域１０Ｌと、中央領域１０Ｃと、右側領域１０Ｒの第１番目とに亘り、順に「ＡＢＣ・・・」を配置している。また、右側領域１０Ｒの残りの部分は、テンキーを割り当てている。こうして、別途のテンキーを省略することができる。
【０１０５】
また、「英大」、「英小」のファンクションキー１２Ｊ、１２Ｋを設けて、図１１、図１２の面にそれぞれ切り換えるようにすることも可能である。
【０１０６】
（１１）濁音、半濁音
図２の基本面において、濁音となる仮名は、右側領域１０Ｒでは「か」行、「さ」行、「た」行の３行であるのに対して、左側領域１０Ｌでは「は」行のひとつのみである。また、半濁音となる仮名は、左側領域１０Ｌの「は」行のみである。
【０１０７】
そこで、図１３に示すように、濁音ボタン１２Ｌを文字割り当てキー１０よりも手前で、好ましくは右側に配置することも可能である。濁音ボタン１２Ｌを選択することによって、図１３のように文字の割り当てを行うことも可能である。
【０１０８】
図１３においては、基本面の「か」行、「さ」行、「た」行、「は」行に対応してそれぞれその濁音である「が」行、「ざ」行、「だ」行、「ば」行を割り当て、基本面の「は」行に隣接する濁音・半濁音のない基本面の「ま」行に対応して半濁音の「ぱ」行を割り当てている。尚、濁音・半濁音のない「な」行に対応して「ファ」、「フィ」、「フェ」、「フォ」を割り当てることもできる。また、「な」行に「ぱ」行を、「ま」行に「ファ」、「フィ」、「フェ」、「フォ」を割り当ててもよい。
【０１０９】
これによって、親指で濁音ボタン１２Ｌを選択しながら該当キーを選択することによって、指の移動量を減らしてより入力の高速化を図ることができる。
【０１１０】
以上の濁音ボタン１２Ｌは、他の面においても使用できるようにするとよい。例えば、図３の仮名第２面において、濁音ボタン１２Ｌを選択することによって、図１４に示すように、各キーにファンクションキーを選択されたときに割り当てられていた第１番目の仮名が濁音となる仮名である場合に、そのキーに第１番目の仮名が濁音に置き換えられた仮名が割り当てられ、「は」行の各仮名に基本的に割り当てられたキーに隣接する「ま」行の各仮名に基本的に割り当てられたキーに、第１番目の仮名が「ぴゅう，ぴょう，ぴゃ，ぴゅ，ぴょ」に置き換えられた仮名が割り当てられるとよい。
【０１１１】
例えば、図４の仮名第３面において、濁音ボタン１２Ｌを選択することによって、各キ
ーにファンクションキーを選択されたときに割り当てられていた仮名列の第１番目の仮名が濁音となる仮名である場合に、そのキーに第１番目の仮名が濁音に置き換えられた仮名列が割り当てられ、「は」行の各仮名に基本的に割り当てられたキーに隣接するキーに、第１番目の仮名が「ぴゃく，ぴょく」に置き換えられた仮名列が割り当てられるとよい。
【０１１２】
また、「○ん」、「○い」、「○う」、「○き」、「○く」、「○つ」面において、濁音ボタン１２Ｌを選択することによって、「○Ｘ」（Ｘ：ん，い，う，き，く，つのいずれかとする）に割り当てられていた各キーは、仮名○が濁音となる仮名である場合に、「○゛Ｘ」の仮名が割り当てられる、「は」行の各仮名に基本的に割り当てられたキーに隣接するキーに、「ぱＸ，ぴＸ，ぷＸ，ぺＸ，ぽＸ」の仮名が割り当てられるとよい。
【０１１３】
また、語頭及び語尾も濁音・半濁音とする場合には、語頭が濁音・半濁音となる仮名を入力後（例えば、「○゛Ｘ」を入力後）、ＰＦ１１，ＰＦ１２を押すことによって、語尾を濁音、半濁音に置き換える（例えば、「○゛Ｘ゛」）ものとするとよい。
【０１１４】
（１２）その他
以上の面の他に、ユーザによってキーの割り当てを任意に設定できる面を設けるとよい。この場合、ファンクションキーと文字割り当てキーとの組み合わせによる文字の割り当ては、日本語入力システム６に対して任意に登録可能とするとよく、日本語入力システム６において、登録されたテーブルが格納される。
【実施例】
【０１１５】
濁音・半濁音をＰＦ１１，ＰＦ１２等を選択して後付けする形態を第１実施例、濁音・半濁音を濁音ボタン１２Ｌの選択で割り当てる形態を第２実施例として、ＪＩＳ規格のかな入力と、ローマ字入力とのタッチ数の比較を行った結果を下表に示す。
【０１１６】
【表１】
2008310808.tif 000003
【０１１７】
実施例１、２共に従来の汎用の入力方式である「かな入力」、「ローマ字入力」と比較して格段に入力タッチ数が少ないことが分かる。さらに、実施例２の入力タッチ数は、漢
字数とほぼ同一となっている。例外としては、注１の場合のように、熟語に訓読みが含まれる場合には、実施例によるタッチ数は漢字数よりも増加する傾向となる。一方、注２の場合には、漢字の「下位」を１タッチで入力することができるため、漢字数よりも少ない結果となる。漢字は通常、音読みで入力する割合が多いので、本実施例では、キー選択数の合理化・低減化に有効であることが分かる。
【０１１８】
２．第２の実施の形態
図１７に仮名入力装置１の第２の実施の形態を示す。第２の実施の形態の仮名入力装置１は、文字割り当てキー１０が第１の実施の形態のものと同じであるが、ファンクションキー１２の一部が異なっている。以下、第１の実施の形態と異なる部分のみ説明する。
【０１１９】
ファンクションキー１２には、「ギ音面」キー１２Ｒ、前実施の形態の「かな３」キー１２Ｂと同じ「○ょく面」キー１２Ｑ、「前濁」キー１２Ｎ、「゛」キー１２Ｏ、「゜」キー１２Ｐ、「設定１，設定２」キー１２Ｍがそれぞれ設けられている。「前濁」キー１２Ｎは、第１の実施の形態の濁音ボタン１２Ｌと同じ作用を有しており、「゛」キー１２Ｏは、語尾の文字を濁音に置き換え（例えば、「○Ｘ゛」）、「゜」キー１２Ｐは語尾の文字を半濁音に置き換える（例えば、「○Ｘ゜」）。
【０１２０】
（１）「ギ音面」
図１８に示すように、図１７の基本面に対して「ギ音面」キー１２Ｒを選択すると、「あ」行の各仮名に割り当てられたキーに、「ウィ，ウェ，ウォ」の片仮名がそれぞれ割り当てられ、「か」行の各仮名に割り当てられたキーに、「クァ，クィ，クェ，クォ」の片仮名がそれぞれ割り当てられ、「さ」行の各仮名に割り当てられたキーに、「スィ，ティ，トォ」の片仮名がそれぞれ割り当てられ、「た」行の各仮名に割り当てられたキーに、「ツァ，ツィ，テュ，ツェ，ツォ」の片仮名がそれぞれ割り当てられ、「な」の仮名に割り当てられていたキーに、「ニェ」の片仮名が割り当てられ、「は」行の各仮名に割り当てられたキーに、「ファ，フィ，フュ，フェ，フォ」の片仮名がそれぞれ割り当てられ、「ま」行の各仮名に割り当てられたキーに、「フョ」の片仮名が割り当てられ、「や」の仮名に割り当てられたキーに、「チェ」の片仮名が割り当てられ、「を」の仮名に割り当てられたキーに、「シェ」の片仮名が割り当てられ、「、」が割り当てられたキーに、「ヒェ」の片仮名が割り当てられ、「。」が割り当てられたキーに、「キェ」の片仮名が割り当てられ、「ん」が割り当てられたキーに、「イェ」の片仮名が割り当てられる。
【０１２１】
（２）「ギ音面」＋「前濁」
図１７の基本面に対して「ギ音面」キー１２Ｒと「前濁」キー１２Ｎとを選択すると、「ギ音面」キー１２Ｒが選択されたときに各キーに割り当てられていた第１番目の仮名が濁音となる仮名である場合に、そのキーに第１番目の仮名が濁音に置き換えられた仮名が割り当てられる。また、「あ」が割り当てられたキーに「ヴァ」の片仮名が、「わ、を、ん」の各仮名に基本的に割り当てられたキーに、「ヴュ，ヴョ，ジュ」の片仮名が、「、」が割り当てられたキーに「デュ」の片仮名がそれぞれ割り当てられる。
【０１２２】
図１９に第２の実施の形態による仮名入力装置を含む電子機器２のブロック図を示す。これは、第１の実施の形態の日本語入力システム６に割り当て情報データベース２２が加わった構成であり、これ以外の構成は第１の実施の形態と同じであるため、第１の実施の形態と同様の部分に関しては説明を省略する。割り当て情報データベース２２には、後述する「設定１，２」キー１２Ｍを選択したときに、入力される情報が記憶される。
【０１２３】
（３）「設定１」、「設定２」
図１７の基本面に対してファンクションキー１２の一つである「設定１」キー１２Ｍを選択すると、図１９に示す設定手段１４が起動し、表示手段９に登録画面が表示される。次に、情報を登録させたい文字割り当てキー１０を１つ選択し、その後、任意の情報を入力する。最後に、登録画面に表示されている「登録」を選択することにより、登録手段１４が、前記選択した文字割り当てキー１０に情報を割り当てて割り当て情報データベース２２に記録する。前記作業を繰り返すことにより、登録手段１４が各キーにそれぞれ情報を割り当てて割り当て情報データベース２２に記録することができる。「設定２」キー１２Ｍを選択した場合も、「設定１」キー１２Ｍと同様の方法で各ファンクションキー１２にそれぞれ情報を割り当てて割り当て情報データベース２２に記録することができる。情報としては、プロ野球チームの成績や、相撲の番付表など、使用者が記録させておきたい任意の情報とすることができる。
【０１２４】
各文字割り当てキー１０に登録させた情報を見るときは、「設定１」又は「設定２」キー１２Ｍを選択し、所望の文字割り当てキー１０を選択するだけで、登録させた情報が表示手段９に表示される。
【０１２５】
３．第３の実施の形態
図２０に、仮名入力装置１の第３の実施の形態を示す。第３の実施の形態は、入力手段４の形態が第１及び第２の実施の形態とは異なるが、ファンクションキー１２の機能は第１及び第２の実施の形態と同様であるため、異なる部分のみ下記に説明する。
【０１２６】
図２０は、電子機器の正面に表示される基本面の文字割り当てキー１０の配列を示しており、この基本面は、初期値とすることが望ましい。文字割り当てキー１０は、タッチパネル上で縦が８コマ、横が７コマの格子状に配置され、左端部１列の左領域１０Ｌと、左から２列目から右側に向かって５列の中央領域１０Ｃと、右端部１列の右領域１０Ｒとで構成される。
【０１２７】
中央領域１０Ｃには、遠方一段目のキーに、左から右に向かって「あ，い，う，え，お」の仮名がそれぞれ割り当てられ、遠方二段目のキーに、左から右に向かって「か，き，く，け，こ」の仮名がそれぞれ割り当てられ、遠方三段目のキーに、左から右に向かって「さ，し，す，せ，そ」の仮名がそれぞれ割り当てられ、遠方四段目のキーに、左から右に向かって「た，ち，つ，て，と」の仮名がそれぞれ割り当てられ、遠方五段目のキーに、左から右に向かって「な，に，ぬ，ね，の」の仮名がそれぞれ割り当てられ、遠方六段目のキーに、左から右に向かって「は，ひ，ふ，へ，ほ」の仮名がそれぞれ割り当てられ、遠方七段目のキーに、左から右に向かって「ま，み，む，め，も」の仮名がそれぞれ割り当てられ、遠方八段目のキーに、左から右に向かって「ら，り，る，れ，ろ」の仮名がそれぞれ割り当てられる。
【０１２８】
右領域１０Ｒには、遠方から手前に向かって「わ，を，ん，、，。，や，ゆ，よ」の仮名、読点及び句点がそれぞれ割り当てられ、左領域１０Ｌには、「（，），−，・，「，」」の記号がそれぞれ割り当てられる。人間工学的に中央に５０音の主な文字が配置され、その文字配列の両側部に残りの文字や記号、句読点が配置されているほうが使用し易い
からである。
【０１２９】
本実施の形態の本文字割り当てキー１０を適用する電子機器として携帯電話やモバイルパソコンなどを用いることができる。
入力手段は、図２０に示す複数の文字割り当てキー１０と複数のファンクションキー１２とからなり、ファンクションキー１２は、これら全てを文字割り当てキー１０と同じ面に設けてもよく、または、図２０、図２１Ａ及び図２１Ｂに示すように、文字割り当てキー１０の上部及び電子機器２の両側面１２ｂ及び１２ｃに分けて配設してもよい。電子機器２は携帯電話のように片手で保持することが可能な大きさとしたり、モバイルパソコンのように両手で保持する大きさとしたりすることもできる。従って、片手で電子機器を保持し、その保持している手の指で前記各キー１０及び１２を操作するようにすることもでき、または、電子機器を両手で保持したり、卓上に置いたりして両手の指で前記各キー１０及び１２を操作するようにすることもできる。
【０１３０】
図２１Ａに電子機器の左側面２ｂの一例を示す。
電子機器の左側面２ｂは、ファンクションキーとして左端に、上下方向にそれぞれ所定間隔をあけて上から下に向かって「い面」キー１２Ｄ、「き面」キー１２Ｆ、「ギ音面」キー１２Ｍ、「シフト面」キー１２Ａ、「ん面」キー１２Ｃが１列に配設され、中央に、上下方向にそれぞれ所定間隔をあけて上から下に向かって「う面」キー１２Ｅ、「く面」キー１２Ｇ、「記号」キー１２Ｎ、「つ面」キー１２Ｈが前記左端の各キーの間の空間に位置するようにそれぞれ配設される。右端には「濁音」キー１２Ｌが、前記「い面」キー１２Ｄと重なる位置から「ん面」キー１２Ｃと重なる位置まで上下方向に伸びて配設され、「い面」キー１２Ｄよりも上方に「設定１」及び「設定２」キー１２Ｍがそれぞれ横方向に並んで配設される。
この構成により、「濁音」キー１２Ｌとこれの左側に配設される他のファンクションキーとを電子機器２を保持している使用者の手の指１本で同時に選択することが可能である。
【０１３１】
前記「設定１」及び「設定２」キー１２Ｍは第２の実施の形態と同様の作用を有し、「記号」キー１２Ｎは、基本面の文字割り当てキー１０で表示されていない記号を表示する。
【０１３２】
図２１Ｂに電子機器２の右側面２ｃを示す。
電子機器２の右側面２ｃの下部に、ファンクションキーとして「Ａ面」キー１２Ｉと「あ面」キー１２Ｏが上下方向に配設されており、「Ａ面」キー１２Ｉは、第１の実施の形態の英数キー１２Ｉと同じ作用を有する。また、「あ面」キー１２Ｏは、これを選択すると、文字割り当てキー１０に図２０に示す基本面が割り当てられる。
【０１３３】
電子機器２の左側面２ｂに配設される各キーは、図３５に示すように、タブ式とすることができる。また、左側面２ｂと同様に、右側面２ｃに配設される各キーもタブ式とすることができる。
【０１３４】
（１）基本面＋濁音
図２０に示す基本面に対して「濁音」キー１２Ｌを選択すると、図２２に示すように、「あ」行の各仮名に割り当てられたキーに、「ぁ、ぃ、ぅ、ぇ、ぉ」の仮名がそれぞれ割り当てられ、「か」行の各仮名に割り当てられたキーに、「が，ぎ，ぐ，げ，ご」の仮名がそれぞれ割り当てられ、「さ」行の各仮名に割り当てられたキーに、「ざ，じ，ず，ぜ，ぞ」の仮名がそれぞれ割り当てられ、「た」行の各仮名に割り当てられたキーに、「だ，ぢ，づ，で，ど」の仮名がそれぞれ割り当てられ、「は」行の各仮名に割り当てられたキーに、「ば，び，ぶ，べ，ぼ」の仮名がそれぞれ割り当てられ、「は」行の各仮名に割り当てられたキーに隣接する「ま」行の各仮名に、「ぱ，ぴ，ぷ，ぺ，ぽ」の仮名がそれぞれ割り当てられ、「わ」に「っ」の仮名が割り当てられ、「や」行の各仮名にそれぞれの文字の小文字が割り当てられる。
【０１３５】
（２）シフト
「シフト」キー１２Ａを選択すると、図２３に示すように、「あ」行の仮名が割り当てられた遠方一段目のキーの左端部から右に向かって、「しゃん，しゅん，しょん，しゅく，しゅつ」の仮名がそれぞれ割り当てられ、「か」行の仮名が割り当てられた遠方二段目のキーの左端部から右に向かって、「きゃ，きゅ，きょ，きゃく，きょく，きゅう，きょう」の仮名がそれぞれ割り当てられ、「さ」行の仮名が割り当てられた遠方三段目のキーの左端部から右に向かって、「しゃ，しゅ，しょ，しゃく，しょく，しゅう，しょう」の仮名がそれぞれ割り当てられ、「た」行の仮名が割り当てられた遠方四段目のキーの左端部から右に向かって、「ちゃ，ちゅ，ちょ，ちゃく，ちょく，ちゅう，ちょう」の仮名がそれぞれ割り当てられ、「な」行の仮名が割り当てられた遠方五段目のキーの左端部から右に向かって、「にゃ，にゅ，にょ，にゃく，にょく，にゅう，にょう」の仮名がそれぞれ割り当てられ、「は」行の仮名が割り当てられた遠方六段目のキーの左端部から右に向かって、「ひゃ，ひゅ，ひょ，ひゃく，ひょく，ひゅう，ひょう」の仮名がそれぞれ割り当てられ、「ま」行の仮名が割り当てられた遠方七段目のキーの左端部から右に向かって、「みゃ，みゅ，みょ，みゃく，みょく，みゅう，みょう」の仮名がそれぞれ割り当てられ、「ら」行の仮名が割り当てられた最も手前の段の左端部から右に向かって、「りゃ，りゅ，りょ，りゃく，りょく，りゅう，りょう」の仮名がそれぞれ割り当てられる。
【０１３６】
（３）シフト＋濁音
「シフト」キー１２Ａと「濁音」キー１２Ｌとを選択すると、図２４に示すように、図２３に示す「シフト」キー１２Ａが選択されたときに割り当てられていた第１番目の仮名が濁音となる仮名である場合に、そのキーに第１番目の仮名が濁音に置き換えられた仮名が割り当てられ、遠方七段目のキーの左端部から右に向かって、「ぴゃ，ぴゅ，ぴょ，ぴゃく，ぴょく，ぴゅう，ぴょう」の仮名がそれぞれ割り当てられる。
【０１３７】
（４）い面、き面、う面、く面、つ面、ん面
「ん面」キー１２Ｃ、「い面」キー１２Ｄ、「う面」キー１２Ｅ、「き面」キー１２Ｆ、「く面」キー１２Ｇ及び「つ面」キー１２Ｈは、第１の実施の形態の「ん面」キー１２Ｃ、「い面」キー１２Ｄ、「う面」キー１２Ｅ、「き面」キー１２Ｆ、「く面」キー１２Ｇ及び「つ面」キー１２Ｈとそれぞれ同様の作用を有する。
すなわち、「い面」キー１２Ｄ、「う面」キー１２Ｅ、「き面」キー１２Ｆ、「く面」キー１２Ｇ、「つ面」キー１２Ｈ及び「ん面」キー１２Ｃは、これらを選択すると、基本面に基本的に割り当てられた仮名○に対して、図２５に示すように「○い」の仮名が、図２６に示すように「○う」の仮名が、図２７に示すように「○き」の仮名が、図２８に示すように「○く」の仮名が、図２９に示すように「○つ」の仮名が、図３０に示すように「○ん」の仮名がそれぞれ割り当てられる。
【０１３８】
（５）い面、き面、う面、く面、つ面、ん面＋濁音
「い面」キー１２Ｄ、「き面」キー１２Ｆ、「う面」キー１２Ｅ、「く面」キー１２Ｇ、「つ面」キー１２Ｈ及び「ん面」キー１２Ｃのうちのどれかと同時に「濁音」キー１２Ｌが選択されたときも、第１の実施の形態と同様に前記「○Ｘ」（Ｘ：い，う，き，く，つ、んのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる。
【０１３９】
（６）ギ音面
「ギ音面」キー１２Ｍを選択すると、図３１に示すように、「あ」行の仮名が割り当てられた遠方一段目のキーの左から右に向かって、「ウィ，ウェ，ウォ，イェ」の片仮名がそれぞれ割り当てられ、「か」行の仮名が割り当てられた遠方二段目のキーの左から右に向かって、「クァ，クィ，クェ，クォ，キェ」の片仮名がそれぞれ割り当てられ、「さ」行の仮名が割り当てられた遠方三段目のキーの左から右に向かって、「スィ，ティ，トォ，シェ」の片仮名がそれぞれ割り当てられ、「た」行の仮名が割り当てられた遠方四段目のキーの左から右に向かって、「ツァ，ツィ，テュ，ツェ，ツォ，チェ」の片仮名がそれぞれ割り当てられ、「な」行の仮名が割り当てられた遠方五段目のキーの右端部に、「ニェ」の片仮名が割り当てられ、「は」行の仮名が割り当てられた遠方六段目のキーの左から右に向かって、「ファ，フィ，フュ，フェ，フォ，ヒェ」の片仮名がそれぞれ割り当てられ、「ま」行の仮名が割り当てられた遠方七段目のキーの中央に、「フョ」の片仮名が割り当てられる。
【０１４０】
（７）ギ音面＋濁音
「ギ音面」キー１２Ｍと同時に「濁音」キー１２Ｌを選択すると、図３２に示すように、「あ」行の仮名が割り当てられた遠方一段目のキーの左から右に向かって、「ヴ，ヴァ，ヴィ，ヴェ，ヴォ，ヴュ」の片仮名がそれぞれ割り当てられ、「か」行の仮名が割り当てられた遠方二段目のキーの左から右に向かって、「グァ，グィ，グェ，グォ，ヴォ」の片仮名がそれぞれ割り当てられ、「さ」行の仮名が割り当てられた遠方三段目のキーの左から右に向かって、「ズィ，ジュ」の片仮名がそれぞれ割り当てられ、「た」行の仮名が割り当てられた遠方四段目のキーの左から右に向かって、「ディ，デュ」の片仮名がそれぞれ割り当てられる。
【０１４１】
（８）Ａ面
電子機器２の右側面２ｃの「Ａ面」キー１２Ｉが選択されると、図３３に示すように、遠方一段目のキーの左端部から右に向かって、「Ａ，Ｂ，Ｃ，Ｄ，Ｅ，Ｆ，Ｇ」のアルファベットの大文字がそれぞれ割り当てられ、遠方二段目のキーの左端部から右に向かって、「Ｈ，Ｉ，Ｊ，Ｋ，Ｌ，Ｍ，Ｎ」のアルファベットの大文字がそれぞれ割り当てられ、遠方三段目のキーの左端部から右に向かって、「Ｏ，Ｐ，Ｑ，Ｒ，Ｓ，Ｔ，Ｕ」のアルファベットの大文字がそれぞれ割り当てられ、遠方四段目のキーの左端部から右に向かって、「Ｖ，Ｗ，Ｘ，Ｙ，Ｚ」のアルファベットの大文字がそれぞれ割り当てられる。
【０１４２】
（９）Ａ面＋濁音
「Ａ面」キー１２Ｉと同時に「シフト」キー１２Ａが選択されると、図３４に示すように、「Ａ面」キー１２Ｉが選択されたときに各キーに割り当てられていたアルファベットの小文字がそれぞれ割り当てられる。
【０１４３】
「Ａ面」キー１２Ｉが２回連続して選択されると、数字画面が表示される。
【図面の簡単な説明】
【０１４４】
【図１】本発明の実施形態による仮名入力装置のキー配列を示す平面図である。
【図２】本発明の実施形態による仮名入力装置のキー配列を示す平面図であり、基本面（仮名第１面）を表す。
【図３】本発明の実施形態による仮名入力装置のキー配列を示す平面図であり、シフトキーを選択した基本＋シフト面（仮名第２面）を表す。
【図４】本発明の実施形態による仮名入力装置のキー配列を示す平面図であり、仮名第３面を表す。
【図５】本発明の実施形態による仮名入力装置のキー配列を示す平面図であり、「ん」面を表す。
【図６】本発明の実施形態による仮名入力装置のキー配列を示す平面図であり、「い」面を表す。
【図７】本発明の実施形態による仮名入力装置のキー配列を示す平面図であり、「う」面を表す。
【図８】本発明の実施形態による仮名入力装置のキー配列を示す平面図であり、「き」面を表す。
【図９】本発明の実施形態による仮名入力装置のキー配列を示す平面図であり、「く」面を表す。
【図１０】本発明の実施形態による仮名入力装置のキー配列を示す平面図であり、「つ」面を表す。
【図１１】本発明の実施形態による仮名入力装置のキー配列を示す平面図であり、英数面（大文字）を表す。
【図１２】本発明の実施形態による仮名入力装置のキー配列を示す平面図であり、英数面（小文字）を表す。
【図１３】本発明の実施形態による仮名入力装置のキー配列を示す平面図であり、基本面から濁音ボタンを選択したときのキー配列を表す。
【図１４】本発明の実施形態による仮名入力装置のキー配列を示す平面図であり、仮名第２面から濁音ボタンを選択したときのキー配列を表す。
【図１５】本発明の入力装置と電子機器との関係を表すブロック図である。
【図１６】従来の仮名入力装置のキー配列を示す平面図である。
【図１７】本発明の第２の実施形態による仮名入力装置のキー配列を示す平面図であり、基本面を表す。
【図１８】本発明の第２の実施形態による仮名入力装置のキー配列を示す平面図であり、「ギ音面」を表す。
【図１９】本発明の第２の実施形態による入力装置と電子機器との関係を表すブロック図である。
【図２０】本発明の第３の実施形態の文字割り当てキーを示す平面図である。
【図２１Ａ】本発明の第３の実施形態による電子機器の一例の左側面のキー配列を示す平面図である。
【図２１Ｂ】本発明の第３の実施形態による電子機器の一例の右側面のキー配列を示す平面図である。
【図２２】本発明の第３の実施形態による文字割り当てキーのキー配列を示す平面図であり、「濁音」キーを選択したときの基本＋濁音を表す。
【図２３】本発明の第３の実施形態による文字割り当てキーのキー配列を示す平面図であり、「シフト」キーを選択したときの文字列を表す。
【図２４】本発明の実施形態による文字割り当てキーのキー配列を示す平面図であり、「シフト」キー＋「濁音」キーを選択したときの文字列を表す。
【図２５】本発明の第３の実施形態による文字割り当てキーのキー配列を示す平面図であり、「い面」キーを選択したときの文字列を表す。
【図２６】本発明の第３の実施形態による文字割り当てキーのキー配列を示す平面図であり、「う面」キーを選択したときの文字列を表す。
【図２７】本発明の第３の実施形態による文字割り当てキーのキー配列を示す平面図であり、「き面」キーを選択したときの文字列を表す。
【図２８】本発明の第３の実施形態による文字割り当てキーのキー配列を示す平面図であり、「く面」キーを選択したときの文字列を表す。
【図２９】本発明の第３の実施形態による文字割り当てキーのキー配列を示す平面図であり、「つ面」キーを選択したときの文字列を表す。
【図３０】本発明の第３の実施形態による文字割り当てキーのキー配列を示す平面図であり、「ん面」キーを選択したときの文字列を表す。
【図３１】本発明の第３の実施形態による文字割り当てキーのキー配列を示す平面図であり、「ギ音面」キーを選択したときの文字列を表す。
【図３２】本発明の第３の実施形態による文字割り当てキーのキー配列を示す平面図であり、「ギ音面」キー＋「濁音」キーを選択したときの文字列を表す。
【図３３】本発明の第３の実施形態による文字割り当てキーのキー配列を示す平面図であり、「Ａ面」キーを選択したときの文字列を表す。
【図３４】本発明の第３の実施形態による文字割り当てキーのキー配列を示す平面図であり、「Ａ面」キー＋「濁音」キーを選択したときの文字列を表す。
【図３５】本発明の第３の実施形態による電子機器の左側面に配設される各キーの一形態を示す図である。
【符号の説明】
【０１４５】
１  仮名入力装置
２  電子機器
１０  文字割り当てキー
１０Ｒ  右側領域
１０Ｌ  左側領域
１０Ｃ  中央領域
１２  ファンクションキー
【図１】
2008310808.tif 000004
【図２】
2008310808.tif 000005
【図３】
2008310808.tif 000006
【図４】
2008310808.tif 000007
【図５】
2008310808.tif 000008
【図６】
2008310808.tif 000009
【図７】
2008310808.tif 000010
【図８】
2008310808.tif 000011
【図９】
2008310808.tif 000012
【図１０】
2008310808.tif 000013
【図１１】
2008310808.tif 000014
【図１２】
2008310808.tif 000015
【図１３】
2008310808.tif 000016
【図１４】
2008310808.tif 000017
【図１５】
2008310808.tif 000018
【図１６】
2008310808.tif 000019
【図１７】
2008310808.tif 000020
【図１８】
2008310808.tif 000021
【図１９】
2008310808.tif 000022
【図２０】
2008310808.tif 000023
【図２１Ａ】
2008310808.tif 000024
【図２１Ｂ】
2008310808.tif 000025
【図２２】
2008310808.tif 000026
【図２３】
2008310808.tif 000027
【図２４】
2008310808.tif 000028
【図２５】
2008310808.tif 000029
【図２６】
2008310808.tif 000030
【図２７】
2008310808.tif 000031
【図２８】
2008310808.tif 000032
【図２９】
2008310808.tif 000033
【図３０】
2008310808.tif 000034
【図３１】
2008310808.tif 000035
【図３２】
2008310808.tif 000036
【図３３】
2008310808.tif 000037
【図３４】
2008310808.tif 000038
【図３５】
2008310808.tif 000039